(57)【要約】  同期信号のためのサブキャリア間隔選択。ワイヤレス通信デバイス（１００）は、同期信号の伝送のためにサポートされる複数の異なるサブキャリア間隔のセットを特定する。異なるサブキャリア間隔のセットから、ワイヤレス通信デバイス（１００）は、１つまたは複数のサブキャリア間隔のサブセットを選択する。さらに、ワイヤレス通信デバイス（１００）は、ワイヤレス通信ネットワークから信号（１０）を受信する。サブセットのサブキャリア間隔に基づいて、ワイヤレス通信デバイスは、同期信号のための受信した信号（１０）を監視する。【選択図】図４
2019534623.tif 000002
【特許請求の範囲】
【請求項１】
ワイヤレス通信ネットワーク内で同期を有効にする方法であって、
ワイヤレス通信デバイス（１００）が、同期信号の伝送のためにサポートされる複数の異なるサブキャリア間隔のセットを特定することと、
前記ワイヤレス通信デバイス（１００）が、前記異なるサブキャリア間隔のセットから１つまたは複数のサブキャリア間隔のサブセットを選択することと、
前記ワイヤレス通信デバイス（１００）が、前記ワイヤレス通信ネットワークから信号（１０）を受信することと、
前記サブセットの前記サブキャリア間隔に基づいて、前記ワイヤレス通信デバイス（１００）が、同期信号のための受信した前記信号を監視することと、
を含む、方法。
【請求項２】
前記ワイヤレス通信デバイス（１００）が、前記信号（１０）が受信される１つまたは複数の周波数範囲のセットに応じて前記サブキャリア間隔のサブセットを選択する、
請求項１に記載の方法。
【請求項３】
前記ワイヤレス通信デバイス（１００）が、周波数範囲へのサブキャリア間隔のマッピングに応じて前記サブキャリア間隔のサブセットを選択する、
請求項１または２に記載の方法。
【請求項４】
前記マッピングが、前記ワイヤレス通信ネットワークによって設定可能である、
請求項３に記載の方法。
【請求項５】
前記ワイヤレス通信デバイス（１００）が、サブキャリア間隔の優先順位に応じて前記サブキャリア間隔のサブセットを選択する、
請求項１から４のいずれか一項に記載の方法。
【請求項６】
前記優先順位が、前記ワイヤレス通信ネットワークによって設定可能である、
請求項５に記載の方法。
【請求項７】
前記ワイヤレス通信デバイス（１００）が、前記ワイヤレス通信ネットワークの第１の基地局（２００）から第２の基地局（２００）へのハンドオーバの準備中に受信される情報に応じて前記サブキャリア間隔のサブセットを選択する、
請求項１から６のいずれか一項に記載の方法。
【請求項８】
前記ワイヤレス通信デバイス（１００）が、受信した前記信号に基づいて前記複数の異なるサブキャリア間隔のセットを検出する、
請求項１から７のいずれか一項に記載の方法。
【請求項９】
前記ワイヤレス通信デバイス（１００）が、受信した前記信号内の変調シンボルのサイクリックプレフィックスの長さに基づいて前記複数の異なるサブキャリア間隔のセットを特定する、
請求項８に記載の方法。
【請求項１０】
前記同期信号に基づいて、前記ワイヤレス通信デバイス（１００）が、前記ワイヤレス通信ネットワークの基地局（２００）との同期を実施することと、
前記同期信号の伝送に使用される前記サブキャリア間隔に基づいて、前記ワイヤレス通信デバイス（１００）が、前記基地局（２００）によってサポートされる１つまたは複数のサブキャリア間隔を示すシステム情報を受信することと、を含む、
請求項１から９のいずれか一項に記載の方法。
【請求項１１】
ワイヤレス通信ネットワーク内で同期を有効にする方法であって、
前記ワイヤレス通信ネットワークの基地局（２００）が、同期信号の伝送のためにサポートされる複数のサブキャリア間隔のセットを特定することと、
前記複数の異なるサブキャリア間隔のセットから、前記基地局（２００）が、１つまたは複数のサブキャリア間隔のサブセットを選択することと、
前記基地局（２００）が、前記サブセットの前記サブキャリア間隔に基づいて同期信号を伝送することと、
を含む、方法。
【請求項１２】
前記基地局（２００）が、前記基地局（２００）が伝送している１つまたは複数の周波数範囲のセットに応じて前記サブキャリア間隔のサブセットを選択する、
請求項１１に記載の方法。
【請求項１３】
前記基地局（２００）が、周波数範囲へのサブキャリア間隔のマッピングに応じて前記サブキャリア間隔のサブセットを選択する、
請求項１１または１２に記載の方法。
【請求項１４】
前記マッピングが設定可能である、
請求項１３に記載の方法。
【請求項１５】
前記基地局（２００）が、サブキャリア間隔の優先順位に応じて前記サブキャリア間隔のサブセットを選択する、
請求項１１から１４のいずれか一項に記載の方法。
【請求項１６】
前記優先順位が設定可能である、
請求項１５に記載の方法。
【請求項１７】
前記基地局（２００）が、前記ワイヤレス通信ネットワークの別の基地局（２００）から受信される情報に応じて前記サブキャリア間隔のサブセットを選択する、
請求項１１から１６のいずれか一項に記載の方法。
【請求項１８】
前記基地局（２００）が、前記セットの前記サブキャリア間隔のうちの少なくとも１つに基づいて信号（１０）を伝送することを含み、
伝送される前記信号の各々について、変調シンボルのサイクリックプレフィックスの長さが、利用される前記サブキャリア間隔に依存する、請求項１１から１７のいずれか一項に記載の方法。
【請求項１９】
前記同期信号の伝送に使用される前記サブキャリア間隔に基づいて、前記基地局（２００）が、前記基地局（２００）によってサポートされる１つまたは複数のサブキャリア間隔を示すシステム情報を伝送することを含む、請求項１２から１８のいずれか一項に記載の方法。
【請求項２０】
前記基地局（２００）が、さらなる基地局（２００）によってサポートされる１つまたは複数のサブキャリア間隔を示す情報を受信することと、
受信した前記情報に基づいて、前記基地局（２００）が、前記基地局（２００）と前記さらなる基地局（２００）との間のワイヤレス通信デバイス（１００）のハンドオーバを制御することと、を含む、請求項１２から１９のいずれか一項に記載の方法。
【請求項２１】
ワイヤレス通信ネットワークへ接続するための無線インターフェース（１１０）と、
少なくとも１つのプロセッサ（１４０）と、を備える、ワイヤレス通信デバイス（１００）であって、
前記少なくとも１つのプロセッサ（１４０）が、
同期信号の伝送のためにサポートされる複数の異なるサブキャリア間隔のセットを特定し、
前記異なるサブキャリア間隔のセットから１つまたは複数のサブキャリア間隔のサブセットを選択し、
前記無線インターフェース（１１０）を介して前記ワイヤレス通信ネットワークから信号（１０）を受信し、かつ、
前記サブセットの前記サブキャリア間隔に基づいて、同期信号のための受信した前記信号（１０）を監視するように設定される
ワイヤレス通信デバイス（１００）。
【請求項２２】
前記少なくとも１つのプロセッサ（１４０）が、請求項１から１０のいずれか一項に記載の方法のステップを実施するように設定される、請求項２１に記載のワイヤレス通信デバイス（１００）。
【請求項２３】
１つまたは複数のワイヤレス通信デバイス（１００）へ接続するための無線インターフェース（２１０）と、
少なくとも１つのプロセッサ（２４０）と、を備える、基地局（２００）であって、
前記少なくとも１つのプロセッサ（２４０）が、
同期信号の伝送のためにサポートされる複数のサブキャリア間隔のセットを特定し、
前記複数の異なるサブキャリア間隔のセットから、１つまたは複数のサブキャリア間隔のサブセットを選択し、かつ、
前記無線インターフェース（２１０）を介して、前記サブセットの前記サブキャリア間隔に基づいて同期信号を伝送するように設定される
基地局（２００）。
【請求項２４】
前記少なくとも１つのプロセッサ（２４０）が、請求項１１から２０のいずれか一項に記載の方法のステップを実施するように設定される、請求項２３に記載の基地局（２００）。
【請求項２５】
請求項２３または２４に記載の基地局（２００）と、
１つまたは複数のワイヤレス通信デバイス（１００）と
を備える、システム。
【発明の詳細な説明】
【技術分野】
【０００１】
本発明は、ワイヤレス通信ネットワーク内で同期を有効にするための方法、ならびに対応するデバイスおよびシステムに関する。
【背景技術】
【０００２】
３ＧＰＰ（第３世代パートナーシッププロジェクト）によって指定されるＬＴＥ（ロングタームエボリューション）無線アクセス技術に基づくセルラネットワークなどのワイヤレス通信ネットワーク内では、同期信号は、ワイヤレス通信デバイス（ユーザ機器または「ＵＥ」とも称される）の、ｅＮＢ（発展型ノードＢ）と称されるワイヤレス通信ネットワークの基地局との同期を有効にするために使用される。ＬＴＥ無線アクセス技術において、これらの同期信号は、ＰＳＳ（一次同期信号）およびＳＳＳ（二次同期信号）と称される。ＬＴＥ無線アクセス技術において、同期信号は、１５ｋＨｚのサブキャリア間隔でＯＦＤＭ（直交周波数分割多重方式）を使用することによって伝送される。
【０００３】
３ＧＰＰによって開発されたＮｅｗ  Ｒａｄｉｏ（「ＮＲ」）技術において、利用可能な周波数スペクトルの範囲は非常に幅広い場合がある。１ＧＨｚ未満の周波数内での配備について論じられるが、最大で１００ＧＨｚの範囲にも及ぶ。この幅広い周波数スペクトルは、例えば、実際に利用される周波数範囲に応じて様々な帯域幅またはサブキャリア間隔が適用されるより柔軟なＯＦＤＭスキームを必要とし得る。加えて、低レイテンシ通信、高データ速度モバイルブロードバンド通信、大容量マシンタイプ通信などの異なるＮＲ技術配備を対象とした異なる使用事例が存在し得る。ある配備において選択される所与の周波数範囲について、特定の使用事例を対象とするＮＲ技術を配備するには、特定のサブキャリア間隔代替案が他のサブキャリア間隔よりも好適である可能性がある。
【０００４】
しかしながら、ＮＲ技術の場合、同期の効率的な実装は困難な場合がある。具体的には、利用されるＯＦＤＭスキームの上述した柔軟性の観点において、ワイヤレス通信ネットワークに接続するＵＥは、同期信号の伝送のために実際に適用される設定に関する情報、例えば、どのサブキャリア間隔が同期信号の伝送のために使用されるかなど、を欠く場合がある。一方、すべての可能性のあるサブキャリア間隔で同期信号を伝送することは、リソース効率の観点において望ましくない場合がある。
【０００５】
したがって、複数の異なるサブキャリア間隔が同期信号の伝送のためにサポートされるシナリオにおいて、同期を効率的に有効にすることを可能にする技術が必要とされている。
【発明の概要】
【０００６】
実施形態によると、ワイヤレス通信ネットワーク内で同期を有効にする方法が提供される。本方法によると、ワイヤレス通信デバイスは、同期信号の伝送のためにサポートされる複数の異なるサブキャリア間隔のセットを特定する。異なるサブキャリア間隔のセットから、ワイヤレス通信デバイスは、１つまたは複数のサブキャリア間隔のサブセットを選択する。さらに、ワイヤレス通信デバイスは、ワイヤレス通信ネットワークから信号を受信する。サブセットのサブキャリア間隔に基づいて、ワイヤレス通信デバイスは、同期信号のための受信した信号を監視する。サブキャリア間隔のサブセットを選択することによって、ワイヤレス通信デバイスは、同期信号のための受信した信号を監視するときにすべてのサポートされたサブキャリア間隔を考慮することを回避し得る。したがって、同期プロセスは、効率的な様式で実施され得る。
【０００７】
実施形態によると、ワイヤレス通信デバイスは、信号が受信される１つまたは複数の周波数範囲のセットに応じてサブキャリア間隔のサブセットを選択する。このやり方では、利用される１つまたは複数の周波数範囲に対する適用されるサブキャリア間隔の依存性は、効率的な様式で考慮され得る。
【０００８】
実施形態によると、ワイヤレス通信デバイスは、周波数範囲へのサブキャリア間隔のマッピングに応じてサブキャリア間隔のサブセットを選択する。マッピングは、例えば、オペレータセッティングの部分として、ワイヤレス通信ネットワークによって設定可能であり得る。マッピングに基づいて、利用される１つまたは複数の周波数範囲に対する適用されるサブキャリア間隔の依存性は、効率的な様式で考慮され得る。
【０００９】
実施形態によると、ワイヤレス通信デバイスは、サブキャリア間隔の優先順位に応じてサブキャリア間隔のサブセットを選択する。優先順位は、例えば、オペレータセッティングの部分として、ワイヤレス通信ネットワークによって設定可能であり得る。優先順位に基づいて、利用される１つまたは複数の周波数範囲に対する適用されるサブキャリア間隔の依存性は、効率的な様式で考慮され得る。
【００１０】
実施形態によると、ワイヤレス通信デバイスは、ワイヤレス通信ネットワークの第１の基地局から第２の基地局へのハンドオーバの準備中に受信される情報に応じてサブキャリア間隔のサブセットを選択する。このやり方では、ワイヤレス通信デバイスのハンドオーバは、第２の基地局へのワイヤレス通信デバイスの同期を促進することによって効率的な様式で制御され得る。
【００１１】
実施形態によると、ワイヤレス通信デバイスは、受信した信号に基づいて複数の異なるサブキャリア間隔のセットを特定する。具体的には、ワイヤレス通信デバイスは、受信した信号内の変調シンボルの長さに基づいて、および／または、受信した信号内の変調シンボルのサイクリックプレフィックスの長さに基づいて、サブキャリア間隔のセットを特定し得る。このやり方では、複数の異なるサブキャリア間隔のセットは、典型的には変調シンボルの区間、および変調シンボルのサイクリックプレフィックスの区間も、適用されるサブキャリア間隔に依存するということを考慮して、効率的な様式で特定され得る。変調シンボルの長さは、絶対時間分に関して、または変調シンボルの長さに関する相対時間分に関して検討され得る。
【００１２】
実施形態によると、ワイヤレス通信デバイスは、異なるサブキャリア間隔を有する２つ以上の同期信号を特定し得る。例えば、これらの同期信号は、ワイヤレス通信ネットワークの２つ以上の特定されたセルまたは同じセルからの複数の伝送に対応し得る。ワイヤレス通信デバイスは、異なる同期信号について受信信号強度を測定し、その同期プロセスについて最も高い信号強度を有する信号を選択し得る。ワイヤレス通信デバイスはまた、サブキャリア間隔間の優先順位付けを適用して、その同期プロセスについて最も優先順位の高いサブキャリア間隔を選択し得る。
【００１３】
同期信号に基づいて、ワイヤレス通信デバイスは、ワイヤレス通信ネットワークの基地局との同期を実施する。同期信号の伝送のために使用されるサブキャリア間隔に基づいて、次いでワイヤレス通信デバイスは、基地局によってサポートされる１つもしくは複数のサブキャリア間隔を示すシステム情報、および／または基地局による伝送キャリアの利用される中心周波数の標示を受信し得る。これらのサブキャリア間隔はまた、ワイヤレス通信デバイスによってまだ特定されていない１つもしくは複数のサブキャリア間隔、および／または同期信号の伝送のために利用されない１つもしくは複数のサブキャリア間隔を含み得る。利用される中心周波数の標示は、同期信号のために使用される周波数に関して、相対値の絶対であり得る。このやり方では、ワイヤレス通信デバイスは、基地局によってサポートされる様々なサブキャリア間隔に関する情報を素早く獲得し、基地局への接続を確立するための好適なサブキャリア間隔を選択し得る。さらに、このやり方では、ワイヤレス通信デバイスは、基地局によって使用される中心周波数についての情報を素早く獲得し得る。
【００１４】
さらなる実施形態によると、ワイヤレス通信ネットワーク内で同期を有効にする方法が提供される。本方法によると、ワイヤレス通信ネットワークの基地局は、同期信号の伝送のためにサポートされる複数のサブキャリア間隔のセットを特定する。複数の異なるサブキャリア間隔のセットから、基地局は、１つまたは複数のサブキャリア間隔のサブセットを選択する。次いで基地局は、サブセットのサブキャリア間隔に基づいて同期信号を伝送する。サブキャリア間隔のサブセットを選択することによって、基地局は、すべてのサポートされるサブキャリア間隔で同期信号を伝送することを回避し得、それにより、リソース効率を向上させ、また基地局とのワイヤレス通信デバイスの同期を促進し得る。
【００１５】
実施形態によると、基地局は、基地局が伝送している１つまたは複数の周波数範囲のセットに応じてサブキャリア間隔のセットを伝送する。このやり方では、１つまたは複数の利用される周波数範囲に対する適用されるサブキャリア間隔の依存性は、効率的な様式で考慮され得る。
【００１６】
実施形態によると、基地局は、周波数範囲へのサブキャリア間隔のマッピングに応じてサブキャリア間隔のサブセットを選択する。マッピングは、例えば、基地局自体によって、および／またはワイヤレス通信ネットワークの管理システムを通じて、設定可能であり得る。マッピングに基づいて、１つまたは複数の利用される周波数範囲に対する適用されるサブキャリア間隔の依存性は、効率的な様式で考慮され得る。
【００１７】
実施形態によると、基地局は、サブキャリア間隔の優先順位に応じてサブキャリア間隔のサブセットを選択する。優先順位は、例えば、基地局自体によって、および／またはワイヤレス通信ネットワークの管理システムを通じて、設定可能であり得る。優先順位に基づいて、１つまたは複数の利用される周波数範囲に対する適用されるサブキャリア間隔の依存性は、効率的な様式で考慮され得る。
【００１８】
実施形態によると、基地局は、ワイヤレス通信ネットワークの別の基地局から受信される情報に応じてサブキャリア間隔のサブセットを選択する。情報は、例えば、ワイヤレス通信デバイスのハンドオーバの準備中、および／または基地局と他の基地局との間の接続を確立しているときに、受信され得る。受信した情報に基づいて、同期信号の伝送のために適用されるサブキャリア間隔および／または同期信号の周波数位置、例えば、中心周波数に対する同期信号のオフセットは、異なる基地局間で連携され得る。例えば、そのような連携は、同じまたは同様のサブキャリア間隔を利用するように隣接した基地局を設定することを目指し得る。これが今度は、ワイヤレス通信デバイスのハンドオーバプロセスまたは初期接続セットアッププロセスを促進し得る。
【００１９】
実施形態によると、基地局は、さらなる基地局によってサポートされる１つまたは複数のサブキャリア間隔を示す情報を受信する。受信した情報に基づいて、次いで基地局は、基地局とさらなる基地局との間のワイヤレス通信デバイスのハンドオーバを制御し得る。例えば、ワイヤレス通信デバイスが特定のサブキャリア間隔のみをサポートする場合、さらなる基地局は、これらのサブキャリア間隔のうちの少なくとも１つがサポートされるように選択され得る。言い換えると、ハンドオーバは、ワイヤレス通信デバイスおよびハンドオーバの目標基地局が少なくとも１つの一致するサポートされるサブキャリア間隔を有するように制御され得る。
【００２０】
実施形態によると、基地局は、伝送された信号の各々について、変調シンボルの長さおよび／または変調シンボルのサイクリックプレフィックスの長さが利用されるサブキャリア間隔に依存するように、セットのサブキャリア間隔のうちの少なくとも１つに基づいて信号を伝送する。これは、変調シンボルの長さおよび／または変調シンボルのサイクリックプレフィックスの長さを考慮することによって、ワイヤレス通信デバイスが信号の伝送のために適用されるサブキャリア間隔を効率的に特定することを可能にし得る。変調シンボルの長さは、絶対時間分に関して、または変調シンボルの長さに関する相対時間分に関して検討され得る。
【００２１】
同期信号の伝送のために使用されるサブキャリア間隔に基づいて、基地局はまた、基地局によってサポートされる１つまたは複数のサブキャリア間隔を示すシステム情報、および／または基地局による伝送キャリアの利用される中心周波数の標示を伝送し得る。これらのサブキャリア間隔はまた、同期信号の伝送に利用されない１つまたは複数のサブキャリア間隔を含み得る。利用される中心周波数の標示は、同期信号のために使用される周波数に関して、相対値の絶対であり得る。このやり方では、ワイヤレス通信デバイスは、基地局によってサポートされる様々なサブキャリア間隔に関する情報を素早く獲得し、基地局への接続を確立するための好適なサブキャリア間隔を選択し得る。さらに、このやり方では、ワイヤレス通信デバイスは、基地局によって使用される中心周波数についての情報を素早く獲得し得る。
【００２２】
実施形態によると、ワイヤレス通信デバイスが提供される。ワイヤレス通信デバイスは、ワイヤレス通信ネットワークおよび少なくとも１つのプロセッサに接続するための無線インターフェースを備える。少なくとも１つのプロセッサは、同期信号の伝送のためにサポートされる複数の異なるサブキャリア間隔のセットを特定し、異なるサブキャリア間隔のセットから１つまたは複数のサブキャリア間隔のサブセットを選択し、無線インターフェースを介してワイヤレス通信ネットワークから信号を受信し、サブセットのサブキャリア間隔に基づいて同期信号のための受信される信号を監視するように設定される。
【００２３】
少なくとも１つのプロセッサは、上記方法内のワイヤレス通信デバイスによって実施されるようなステップを実施するように設定され得る。
【００２４】
すなわち、少なくとも１つのプロセッサは、信号が受信される１つまたは複数の周波数範囲のセットに応じてサブキャリア間隔のサブセットを選択するように設定され得る。
【００２５】
さらに、少なくとも１つのプロセッサは、周波数範囲へのサブキャリア間隔のマッピングに応じてサブキャリア間隔のサブセットを選択するように設定され得る。マッピングは、例えば、オペレータセッティングの部分として、ワイヤレス通信ネットワークによって設定可能であり得る。
【００２６】
さらに、少なくとも１つのプロセッサは、サブキャリア間隔の優先順位に応じてサブキャリア間隔のサブセットを選択するように設定され得る。優先順位は、例えば、オペレータセッティングの部分として、ワイヤレス通信ネットワークによって設定可能であり得る。
【００２７】
実施形態によると、ワイヤレス通信デバイスは、ワイヤレス通信ネットワークの第１の基地局から第２の基地局へのハンドオーバの準備中に受信される情報に応じてサブキャリア間隔のサブセットを選択する。このやり方では、ワイヤレス通信デバイスのハンドオーバは、第２の基地局へのワイヤレス通信デバイスの同期を促進することによって効率的な様式で制御され得る。
【００２８】
さらに、少なくとも１つのプロセッサは、受信した信号に基づいて、特に、受信した信号内の変調シンボルの長さに基づいて、および／または受信した信号内の変調シンボルのサイクリックプレフィックスの長さに基づいて、複数の異なるサブキャリア間隔のセットを特定するように設定され得る。
【００２９】
さらに、少なくとも１つのプロセッサは、同期信号に基づいて、ワイヤレス通信ネットワークの基地局へのワイヤレス通信デバイスの同期を実施するように設定され得る。さらに、少なくとも１つのプロセッサは、同期信号の伝送に使用されるサブキャリア間隔に基づいて、基地局によってサポートされる１つまたは複数のサブキャリア間隔を示すシステム情報、および／または基地局による伝送キャリアの中心周波数の標示を受信するように設定され得る。これらのサブキャリア間隔はまた、ワイヤレス通信デバイスによってまだ特定されていない１つまたは複数のサブキャリア間隔、および／または同期信号の伝送のために利用されない１つもしくは複数のサブキャリア間隔を含み得る。
【００３０】
実施形態によると、基地局が提供される。基地局は、１つまたは複数のワイヤレス通信デバイスおよび少なくとも１つのプロセッサに接続するための無線インターフェースを備える。少なくとも１つのプロセッサは、同期信号の伝送のためにサポートされる複数のサブキャリア間隔のセットを特定し、複数の異なるサブキャリア間隔のセットから、１つまたは複数のサブキャリア間隔のサブセットを選択し、無線インターフェースを介して、サブセットのサブキャリア間隔に基づいて同期信号を伝送するように設定される。
【００３１】
少なくとも１つのプロセッサは、上記方法内の基地局によって実施されるようなステップを実施するように設定され得る。
【００３２】
すなわち、少なくとも１つのプロセッサは、基地局が伝送している１つまたは複数の周波数範囲のセットに応じてサブキャリア間隔のセットを選択するように設定され得る。
【００３３】
さらに、少なくとも１つのプロセッサは、周波数範囲へのサブキャリア間隔のマッピングに応じてサブキャリア間隔のサブセットを選択するように設定され得る。マッピングは、例えば、基地局自体によって、および／またはワイヤレス通信ネットワークの管理システムを通じて、設定可能であり得る。
【００３４】
さらに、少なくとも１つのプロセッサは、サブキャリア間隔の優先順位に応じてサブキャリア間隔のサブセットを選択するように設定され得る。優先順位は、例えば、基地局自体によって、および／またはワイヤレス通信ネットワークの管理システムを通じて、設定可能であり得る。
【００３５】
さらに、少なくとも１つのプロセッサは、ワイヤレス通信ネットワークの別の基地局から受信される情報に応じてサブキャリア間隔のサブセットを選択するように設定され得る。情報は、例えば、ワイヤレス通信デバイスのハンドオーバの準備中、および／または基地局と他の基地局との間の接続を確立しているときに、受信され得る。
【００３６】
さらに、少なくとも１つのプロセッサは、さらなる基地局によってサポートされる１つまたは複数のサブキャリア間隔を示す情報を受信するように設定され得る。受信した情報に基づいて、次いで少なくとも１つのプロセッサは、基地局とさらなる基地局との間のワイヤレス通信デバイスのハンドオーバを制御する。
【００３７】
さらに、少なくとも１つのプロセッサは、伝送された信号の各々について、変調シンボルの長さおよび／または変調シンボルのサイクリックプレフィックスの長さが利用されるサブキャリア間隔に依存するように、セットのサブキャリア間隔のうちの少なくとも１つに基づいて信号を伝送するように設定され得る。
【００３８】
さらに、少なくとも１つのプロセッサは、同期信号の伝送に使用されるサブキャリア間隔に基づいて、基地局によってサポートされる１つまたは複数のサブキャリア間隔を示すシステム情報、および／または基地局による伝送キャリアの中心周波数の標示を伝送するように設定され得る。これらのサブキャリア間隔はまた、同期信号の伝送に利用されない１つまたは複数のサブキャリア間隔を含み得る。
【００３９】
実施形態によると、上述の基地局および１つまたは複数のワイヤレス通信デバイスを備えるシステムが提供される。このシステムにおいて、ワイヤレス通信デバイスおよび基地局は、上記方法に従って動作し得る。
【００４０】
本発明の上記およびさらなる実施形態は、添付の図面を参照してこれよりさらに詳細に説明される。
【図面の簡単な説明】
【００４１】
【図１】本発明の実施形態に従う同期信号の伝送のための異なるサブキャリア間隔の利用を概略的に例証する図である。
【図２】異なるサブキャリア間隔設定が複数の基地局によって適用されるシナリオを概略的に例証する図である。
【図３】ＯＦＤＭシンボル、およびＯＦＤＭシンボルのサイクリックプレフィックスを概略的に例証する図である。
【図４】ワイヤレス通信デバイスによって実施され得る、本発明の実施形態に従う方法を例証するためのフローチャートである。
【図５】基地局によって実施され得る、本発明の実施形態に従うさらなる方法を例証するためのフローチャートである。
【図６】本発明の実施形態に従うワイヤレス通信デバイスのプロセッサベースの実装を概略的に例証する図である。
【図７】本発明の実施形態に従う基地局のプロセッサベースの実装を概略的に例証する図である。
【発明を実施するための形態】
【００４２】
以下において、本発明の例示的な実施形態がより詳細に説明される。以下の説明は、本発明の原理を例証する目的のためにのみ与えられるものであり、制限する意味にとられるべきではないということが理解されるべきである。むしろ、本発明の範囲は、添付の特許請求の範囲によってのみ規定され、以後説明される例示的な実施形態によって制限されることは意図されない。
【００４３】
例証される実施形態は、ワイヤレス通信ネットワーク内で同期を有効にすること、特に、以下では「ＵＥ」とも称されるワイヤレス通信デバイスの、ワイヤレス通信ネットワークの１つまたは複数の基地局との同期に関する。同期は、同期信号に基づいて実施されると考えられる。同期は、典型的には、基地局内のプロセスとのＵＥ内のプロセスの、例えば信号の伝送および受信に関するプロセスの、時間的整合を伴う。例えば、同期は、基地局へ信号を伝送するときにＵＥによって適用されるべきタイミング前進の決定を伴い得る。しかしながら、同期はまた、ＵＥ内のローカルクロックの調節などの他のプロセスを伴い得る。
【００４４】
ワイヤレス通信ネットワークは、ＯＦＤＭまたはＳＣ−ＯＦＤＭ（シングルキャリアＯＦＤＭ）などの多重周波数変調に基づいた無線技術を利用すると考えられ、ここでは、変調シンボルが複数のサブキャリアに変調され、この複数のサブキャリアは、周波数領域内のサブキャリア間隔に従って分散される。利用される無線技術は、例えば、ＬＴＥ技術またはＮＲ技術に基づき得る。この種の変調は、同期信号にも適用される。同期信号は、例えば、基地局およびＵＥの両方に知られている明確に規定されたシンボルシーケンス、例えば、Ｚａｄｏｆｆ−Ｃｈｕシーケンスに対応し得る。
【００４５】
さらに、複数のサブキャリア間隔がワイヤレス通信ネットワーク内でサポートされると考えられる。特に、複数のサブキャリア間隔は、隣接した基地局によって、同じ基地局によって、および／または同じＵＥによって同時に利用され得る。例えば、適用されるサブキャリア間隔は、信号の伝送のために利用される周波数範囲に依存し得る。一例によると、より低い周波数範囲においては、より高い周波数範囲よりも、密なサブキャリア間隔が適用され得る。周波数範囲依存のサブキャリア間隔の対応する例は、多重周波数ベースの伝送信号のための時間（ｔ）ドメインおよび周波数（ｆ）ドメイン無線リソースの利用を概略的に示す図１に例証される。
【００４６】
図１の例において、信号は、１ＧＨｚ未満から最大で１００ＧＨｚの高さまで延在する合計帯域幅にわたって分散され得る４つの異なる周波数範囲で伝送される。これらの異なる周波数範囲は、様々なやり方で、ならびに不規則な周波数パターン、例えば、１ＧＨｚ未満の１つの周波数範囲、および２０〜３０ＧＨｚの範囲にある２つの周波数範囲、および５０ＧＨｚ超の１つの周波数範囲にある典型的なシナリオにおいて分散され得ることに留意されたい。第１の周波数範囲においては、サブキャリア間隔Ｆｓ１が適用され、第２の周波数範囲においては、第２のサブキャリア間隔Ｆｓ２が適用され、第３の周波数範囲においては、第３のサブキャリア間隔Ｆｓ３が適用され、第４の周波数範囲においては、第４のサブキャリア間隔Ｆｓ４が適用される。見て分かるように、周波数が減少するにつれて、より密なサブキャリア間隔が適用される。例えば、サブキャリア間隔は、２Ｎ・１５ｋＨｚに従って規定され得、式中、Ｎは周波数と共に増加する整数である。さらに例証されるように、変調シンボルの長さもまた、利用されるサブキャリア間隔に従って、特にサブキャリア間隔に反比例して、増減され得る。図１では、第１の周波数範囲内の変調シンボルの長さは、Ｌ１で示され、第２の周波数範囲内の変調シンボルの長さは、Ｌ２で示され、第３の周波数範囲内の変調シンボルの長さは、Ｌ３で示され、第４の周波数範囲内の変調シンボルの長さは、Ｌ４で示される。変調シンボルの長さを増減することによって、異なる周波数範囲にある無線フレームは、それらが同じ量のデータを送るように規定され得、かつ図１に例証されるように、時間ドメイン内で整合され得る。特定のサブキャリア間隔に従って配置されるサブキャリアの各セットは、システム帯域幅の異なる部分を占有し得る。システム帯域幅はまた、例えば、より高い周波数範囲内ではより大きいシステム帯域幅を使用することによって、増減可能であり得る。より高いシステム帯域幅はまた、比例的により大きいサブキャリア間隔と関連付けられ得る。
【００４７】
通則として、複数のサブキャリア間隔がワイヤレス通信システム内でサポートされるとしても、それらのすべてが、ワイヤレス通信システムのすべての基地局によってサポートされる、または実際に適用される必要はない。むしろ、所与の基地局は、図１に例証されるようにサブキャリア間隔Ｆｓ１、Ｆｓ２、およびＦｓ３のみなど、サポートされるサブキャリア間隔のサブセットのみを適用し得る。さらに、個々のＵＥもまた、すべてのサポートされるサブキャリア間隔をサポートする、または実際に利用する必要はない。例えば、ＵＥの能力は、ＵＥがワイヤレス通信ネットワークによってサポートされるサブキャリア間隔のうちの一部のみをサポートするように、制限され得る。したがって、ワイヤレス通信ネットワークへの接続を確立するとき、ＵＥは、ＵＥによってサポートされ、かつさらにはＵＥが接続しようとする基地局によって適用される１つまたは複数のサブキャリア間隔を見つける必要があり得る。
【００４８】
さらには、例証される概念において、信号の伝送のために適用されるすべてのサブキャリア間隔が、同期信号の伝送のために適用される必要があるわけではないことが考えられる。図１の例において、同期信号の伝送のために利用される無線リソースは、網掛けボックスによって例証される。見て分かるように、同期信号は、第１のサブキャリア間隔を使用して第１の周波数範囲内で、また第３のサブキャリア間隔を使用して第３の周波数範囲内で伝送される。サブキャリア間隔Ｆｓ２およびサブキャリア間隔Ｆｓ４がそれぞれ適用される第２の周波数範囲および第４の周波数範囲においては、同期信号の伝送は存在しない。特定の周波数範囲および対応するサブキャリア間隔を同期信号の伝送から除外することを可能にすることによって、リソース利用の効率が向上され得る。しかしながら、ワイヤレス通信ネットワークへの接続を確立するとき、次いでＵＥは、同期信号の伝送のために適用される少なくとも１つのサブキャリア間隔を見つける必要もあり得る。
【００４９】
図１にさらに例証されるように、異なるサブキャリア間隔を使用して伝送される同期信号は、時間整合され得る。さらに、同期信号は、異なるサブキャリア間隔を使用して伝送される同期信号について同じ周期を使用して、周期的様式で伝送され得る。このやり方では、同期プロセスは、同期信号の伝送を特定の時間ウィンドウに限定することによって単純化され得る。
【００５０】
図１に示されるような同期信号の伝送へのサブキャリア間隔の割り当ては単に例にすぎないこと、および他の設定では、他のサブキャリア間隔、例えばサブキャリア間隔Ｆｓ４のみが、同期信号の伝送のために適用され得ることに留意されたい。
【００５１】
図２は、複数の基地局２００が信号１０の伝送のためのサブキャリア間隔の異なるセットを適用するシナリオを概略的に例証する。さらに、図２は、ワイヤレス通信ネットワークに接続しようとしているＵＥ１００を例証する。図２の例において、第１の基地局（ＢＳ１）は、対応する周波数範囲内のサブキャリア間隔Ｆｓ２、Ｆｓ３、およびＦｓ４を適用し、第２の基地局（ＢＳ２）は、対応する周波数範囲内のサブキャリア間隔Ｆｓ１、Ｆｓ２、およびＦｓ４を適用し、第３の基地局（ＢＳ３）は、対応する周波数範囲内のサブキャリア間隔Ｆｓ１、Ｆｓ３、およびＦｓ４を適用し、第４の基地局は、対応する周波数範囲内のサブキャリア間隔Ｆｓ４を適用する。基地局ＢＳ１、ＢＳ２、ＢＳ３について例証されるように基地局が複数のサブキャリア間隔を適用する場合、これらのサブキャリア間隔のすべてが、同期信号の伝送のために適用される必要があるわけでもない。
【００５２】
基地局によって伝送される信号１０をスキャンすることによって、ＵＥ１００は、どの周波数範囲が特定の基地局２００によって使用されるかを特定することができる。基地局２００から同期信号を検出することについて、ＵＥ１００は、同期信号を復号するために、基地局２００から受信される信号１０を処理し得る。この目的のため、ＵＥ１００は、復号が成功するまで、受信した信号１０をバッファし、異なるサブキャリア間隔に基づいて復号することを試み得る。
【００５３】
同期信号の検出を促進するために、ＵＥ１００は、同期信号の伝送のためにサポートされるサブキャリア間隔のセットからサブキャリア間隔の特定のサブセットを選択する。本明細書内で使用される場合、同期信号の伝送のためにサポートされるサブキャリア間隔は、利用される無線技術において同期信号の伝送のために適用されることが許されるサブキャリア間隔であり、必ずしも、実際に適用される同期信号の伝送である必要はない。サブキャリア間隔のサブセットを選択することによって、同期信号を検出するために必要とされる復号試行の数は減少され得る。いくつかのシナリオにおいては、同期信号の伝送のために適用される単一のサブキャリア間隔を特定することでさえ可能であり得る。
【００５４】
いくつかのシナリオにおいて、ＵＥ１００はまた、例えば、特定の時間ウィンドウおよび時間インターバルとの受信した信号の複数の自己相関を実施することによって、受信した信号内に適用されるサブキャリア間隔を検出し得る。時間ウィンドウは、サイクリックプレフィックスの特定の長さに、および時間インターバルは、変調シンボルの長さに対応するように選択され得る。サイクリックプレフィックスを有する変調シンボルの例は、図３に示される。相関が検出されると、ＵＥ１００は、サイクリックプレフィックスの対応する長さおよび変調シンボルの対応する長さが受信した信号内で使用されることを暗示し得る。図１に例証されるものなど、変調シンボルの長さ、したがってさらにはサイクリックプレフィックスの長さに対するサブキャリア間隔の知られている依存性に基づいて、次いでＵＥ１００は、利用されるサブキャリア間隔を推定し得る。例えば、変調シンボルの長さがＬ１であることを検出することに応答して、ＵＥ１００は、サブキャリア間隔Ｆｓ１が適用されることを推定し得る。
【００５５】
例えば、Ｆｓ１、Ｆｓ２、Ｆｓ３、およびＦｓ４のうちの１つまたは複数など、受信した信号内で適用されるサブキャリア間隔が特定されると、ＵＥ１００は、これらサブキャリア間隔のうちのどれが同期信号の伝送に適用されるかを決定することに進み得る、すなわち、サブキャリア間隔のサブセットを決定し得る。
【００５６】
サブキャリア間隔のサブセットの選択は、サブキャリア間隔への利用される周波数帯域のマッピングに基づき得る。例えば、そのようなマッピングは、図１に例証されるように、特定の周波数帯域（例えば、２０ＧＨｚ超）において、サブキャリア間隔Ｆｓ１超およびサブキャリア間隔Ｆｓ１が同期信号の伝送のために適用されることを規定し得る。マッピングは、ＵＥ１００および基地局２００内で、例えば、電気通信標準に従って事前設定され得る。さらに、マッピングは設定可能であり得る。例えば、マッピングを用いた基地局２００の設定は、ワイヤレス通信ネットワークの管理システムによって達成され得、基地局２００のうちの１つが、それに応じてＵＥ１００を設定し得る。
【００５７】
加えて、または代替案として、サブキャリア間隔のサブセットの選択は、サブキャリア間隔の優先順位に基づき得る。例えば、そのような優先順位は、ＵＥ１００および基地局２００内で、例えば、電気通信標準に従って事前設定され得る。さらに、優先順位は設定可能であり得る。例えば、マッピングを用いた基地局２００の設定は、ワイヤレス通信ネットワークの管理システムによって達成され得、基地局２００のうちの１つが、それに応じてＵＥ１００を設定し得る。例として、優先順位は、最も密な適用されるサブキャリア間隔が同期信号の伝送のために適用されるべきであることを規定し得る。したがって、基地局２００は、サブキャリア間隔のみを使用して同期信号を伝送し得、ＵＥ１００は、同期信号のための受信した信号を監視するときに、このサブキャリア間隔のみを適用し得る。
【００５８】
基地局２００は、同期信号の伝送のためにどのサブキャリア間隔を適用するかを決定するときに対応する規則を適用し得、例えば、利用される周波数範囲、サブキャリア間隔への周波数範囲のマッピング、および／またはサブキャリア間隔の優先順位に基づいて、サブキャリア間隔のサブセットを選択し得る。
【００５９】
ＵＥ１００はまた、検出された各サブキャリア間隔の電力レベルを測定し、測定された電力レベルに応じてサブキャリア間隔のサブセットを選択し得る。例えば、この時サブセットは、最も高い測定された電力レベルを有するサブキャリア間隔を含むように選択され得る。例えば、これは、高データ速度サービスが高い無線チャネル品質を提供する基地局２００への接続を促進し得ることから、ＵＥ１００が高データ速度サービスのために設定されるときに有益であり得る。
【００６０】
いくつかのシナリオにおいて、ＵＥ１００は、以前に利用されたサブキャリア間隔に関する格納された情報、例えば、ＵＥ１００が最後にワイヤレス通信ネットワークに接続されたときに適用されたサブキャリア間隔に関する情報に基づいて、サブキャリア間隔のサブセットを選択し得る。例えば、ＵＥ１００がアイドルモードまたはいくつかの他の低電力モードに入り、ワイヤレス通信ネットワークとの同期を失うとき、ＵＥ１００は、現在適用されるサブキャリア間隔、特に、同期信号の伝送のために適用されるものを格納し得る。その後ＵＥ１００が再び同期する必要があるとき、ＵＥ１００は、格納された情報に基づいて、同期信号の検出のためにサブキャリア間隔のサブセットを選択し得る。
【００６１】
いくつかのシナリオにおいて、基地局２００は、同期信号の伝送のために適用されるべきサブキャリア間隔の選択を連携し得る。この目的のため、基地局２００は、サポートまたは選択されるサブキャリア間隔に関する情報を他の基地局２００、典型的には隣接した基地局２００と共有し得る。この連携は、例えば、ソース基地局と目標基地局との間でのＵＥ１００のハンドオーバを制御するときに役立ち得る。ソース基地局は、目標基地局がＵＥ１００と互換性があるサブキャリア間隔をサポートするように目標基地局を選択し得る。情報の共有は、ハンドオーバ準備中またはいくつかの他の時間において、例えば、隣接した基地局２００間の接続をセットアップするときに発生し得る。さらに、情報は、ＵＥ１００を介して、例えば、ＵＥ１００が、ＵＥ１００が接続される基地局２００へ隣接した基地局２００によって適用されるサブキャリア間隔を検出することによって、間接的に共有され得る。例えば、ＵＥ１００は、ＵＥ１００が接続される基地局２００に対応する測定レポートを提供し得る。
【００６２】
いくつかのシナリオにおいて、ソース基地局は、隣接した基地局２００によって利用されるサブキャリア間隔について、情報をＵＥ１００に提供することができる。この方法は、ハンドオーバの準備においてＵＥが同期を素早く受信することに役立ち得る。この情報は、ＲＲＣ（無線リソース制御）レベルで、すなわち、ＵＥ１００の既存の接続に対して、またはより高いプロトコルレベルで共有され得る。
【００６３】
いくつかのシナリオにおいて、基地局２００によって適用されるサブキャリア間隔に関する情報はまた、基地局２００によってブロードキャストされるシステム情報内に含まれ得る。この場合、システム情報は、同期信号の伝送のために選択される同じサブキャリア間隔に基づいて伝送され得る。基地局２００によって適用されるサブキャリア間隔に関するシステム情報は、連続的に、例えば、同期信号と同じ周期で、伝送され得る。
【００６４】
加えて、同じシステム情報はまた、同期信号の伝送のために適用されないものを含め、すべての利用されるサブキャリア間隔に基づいて伝送され得る。同期信号の伝送のために適用されないものである場合、伝送されるシステム情報は、それぞれのサブキャリア間隔専用の特定の情報を含み得る。例えば、図１の例において、システム情報がサブキャリア間隔Ｆｓ２に基づいて伝送される場合、このシステム情報は、サブキャリア間隔Ｆｓ２に基づいて動作するときＵＥ１００によって適用されるべきパラメータだけを専ら含み得る。それと比較して、同期信号と同じサブキャリア間隔を使用して伝送されるシステム情報は、より一般的であり得、他のサブキャリア間隔に基づいて動作するときＵＥ１００によって適用されるべきパラメータも含み得る。
【００６５】
さらに、システム情報はまた、変調に利用可能なサブキャリアのセットの中心周波数に対する同期信号のオフセットに関する情報を含み得る。具体的には、変調に利用可能なすべてのサブキャリアが同期信号の伝送のために利用されるわけではない場合、同期信号の伝送のために利用されるサブキャリアは、中心周波数からオフセットされ得る。このオフセットは、例えば、チャネルラスタ指数またはサブキャリア指数を表す１つまたは複数のビットによって、システム情報内に示され得る。
【００６６】
図４は、ワイヤレス通信ネットワーク内での同期を有効にするための、ＵＥ１００などのワイヤレス通信デバイスによって実施され得る方法を例証するフローチャートを示す。例えば、本方法は、ＵＥ１００によって、基地局２００の１つを用いて同期を有効にするために実施され得る。同期は、ワイヤレス通信ネットワークへのワイヤレス通信デバイスの接続を確立する過程で実施される必要があり得る。ワイヤレス通信デバイスのプロセッサベースの実装が利用される場合、本方法のステップの少なくとも一部は、ワイヤレス通信デバイスの１つまたは複数のプロセッサによって実施および／または制御され得る。
【００６７】
ステップ４１０において、ワイヤレス通信デバイスは、同期信号の伝送のためにサポートされる複数の異なるサブキャリア間隔のセットを特定する。ワイヤレス通信デバイスは、例えば、電気通信標準に従って、および／またはオペレータセッティングに従って、ワイヤレス通信デバイス内で設定される情報に基づいて複数の異なるサブキャリア間隔のセットを特定し得る。
【００６８】
さらに、ワイヤレス通信デバイスは、受信した信号に基づいて複数の異なるサブキャリア間隔のセットを特定し得る。具体的には、ワイヤレス通信デバイスは、受信した信号内の変調シンボルの長さに基づいて、および／または受信した信号内の変調シンボルのサイクリックプレフィックスの長さに基づいて、サブキャリア間隔のセットを特定し得る。
【００６９】
ステップ４２０において、ワイヤレス通信デバイスは、異なるサブキャリア間隔のセットから１つまたは複数のサブキャリア間隔のサブセットを選択する。
【００７０】
ワイヤレス通信デバイスは、信号が受信される１つまたは複数の周波数範囲のセットに応じてサブキャリア間隔のサブセットを選択し得る。利用される１つまたは複数の周波数範囲に対する適用されるサブキャリア間隔のそのような依存性の例は、図１に例証される。
【００７１】
代替的に、または加えて、ワイヤレス通信デバイスは、周波数範囲へのサブキャリア間隔のマッピングに応じてサブキャリア間隔のサブセットを選択し得る。マッピングは、例えば、オペレータセッティングの部分として、ワイヤレス通信ネットワークによって設定可能であり得る。
【００７２】
代替的に、または加えて、ワイヤレス通信デバイスは、サブキャリア間隔の優先順位に応じてサブキャリア間隔のサブセットを選択し得る。優先順位は、例えば、オペレータセッティングの部分として、ワイヤレス通信ネットワークによって設定可能であり得る。
【００７３】
代替的に、または加えて、ワイヤレス通信デバイスは、ワイヤレス通信ネットワークの第１の基地局から第２の基地局へのハンドオーバの準備中に受信される情報に応じてサブキャリア間隔のサブセットを選択し得る。
【００７４】
さらに、ワイヤレス通信デバイスは、受信した信号の電力レベルに応じて、および／またはワイヤレス通信ネットワークへのワイヤレス通信デバイスの以前の接続における適用されたサブキャリア間隔に関する格納された情報に応じて、サブキャリア間隔のサブセットを選択し得る。
【００７５】
ステップ４３０において、ワイヤレス通信デバイスは、ワイヤレス通信ネットワークから信号を受信する。
【００７６】
ステップ４４０において、ワイヤレス通信デバイスは、同期信号のための受信した信号を監視する。これは、ステップ４２０において選択されたサブセットのサブキャリア間隔に基づいて達成される。ワイヤレス通信デバイスはまた、検出されたサブキャリア間隔の各々について受信した信号の電力レベルを監視し得る。ワイヤレス通信デバイスは次いで、最も高い電力レベルを有するサブキャリア間隔で同期プロセスを開始し得る。
【００７７】
同期信号に基づいて、ワイヤレス通信デバイスは、ワイヤレス通信ネットワークの基地局との同期を実施し得る。
【００７８】
ステップ４５０によって例証されるように、同期信号のための伝送に使用されるサブキャリア間隔に基づいて、ワイヤレス通信デバイスは、システム情報も受信し得る。受信したシステム情報は、基地局によってサポートされる１つまたは複数のサブキャリア間隔を示し得る。これらのサブキャリア間隔はまた、ワイヤレス通信デバイスによってまだ特定されていない１つもしくは複数のサブキャリア間隔、および／または同期信号の伝送のために利用されない１つもしくは複数のサブキャリア間隔を含み得る。
【００７９】
図５は、ワイヤレス通信ネットワーク内で同期を有効にするための、基地局２００のうちの１つなどの、ワイヤレス通信ネットワークの基地局によって実施され得る方法を例証するフローチャートを得示す。例えば、本方法は、基地局２００のうちの１つによって、この基地局２００とのＵＥ１００の同期を有効にするために実施され得る。同期は、ワイヤレス通信ネットワークへのワイヤレス通信デバイスの接続を確立する過程で実施される必要があり得る。基地局のプロセッサベースの実装が利用される場合、本方法のステップの少なくとも一部は、基地局の１つまたは複数のプロセッサによって実施および／または制御され得る。
【００８０】
ステップ５１０において、基地局は、同期信号の伝送のためにサポートされる複数の異なるサブキャリア間隔のセットを特定する。基地局は、例えば、電気通信標準に従って、および／またはオペレータセッティングに従って、基地局内で設定される情報に基づいて複数の異なるサブキャリア間隔のセットを特定し得る。
【００８１】
基地局は、伝送された信号の各々について、例えば、図１および図３に関連して説明されるように、変調シンボルの長さおよび／または変調シンボルのサイクリックプレフィックスの長さが、利用されるサブキャリア間隔に依存するように、セットのサブキャリア間隔のうちの少なくとも１つに基づいて信号を伝送し得る。変調シンボルの長さは、絶対時間分に関して、または変調シンボルの長さに関する相対時間分に関して検討され得る。
【００８２】
ステップ５２０において、基地局は、複数の異なるサブキャリア間隔のセットから１つまたは複数のサブキャリア間隔のサブセットを選択する。
【００８３】
基地局は、基地局が伝送している１つまたは複数の周波数範囲のセットに応じてサブキャリア間隔のサブセットを選択し得る。利用される１つまたは複数の周波数範囲に対する適用されるサブキャリア間隔のそのような依存性の例は、図１に例証される。
【００８４】
代替的に、または加えて、基地局は、周波数範囲へのサブキャリア間隔のマッピングに応じてサブキャリア間隔のサブセットを選択し得る。マッピングは、例えば、基地局自体によって、および／またはワイヤレス通信ネットワークの管理システムを通じて、設定可能であり得る。
【００８５】
代替的に、または加えて、基地局は、サブキャリア間隔の優先順位に応じてサブキャリア間隔のサブセットを選択し得る。優先順位は、例えば、基地局自体によって、および／またはワイヤレス通信ネットワークの管理システムを通じて、設定可能であり得る。
【００８６】
代替的に、または加えて、基地局は、ワイヤレス通信ネットワークの別の基地局から受信される情報に応じてサブキャリア間隔のサブセットを選択し得る。情報は、例えば、ワイヤレス通信デバイスのハンドオーバの準備中、および／または基地局と他の基地局との間の接続を確立しているときに、受信され得る。受信した情報に基づいて、同期信号の伝送のために適用されるサブキャリア間隔は、異なる基地局間で連携され得る。例えば、そのような連携は、同じまたは同様のサブキャリア間隔を利用するように隣接した基地局を設定することを目指し得る。
【００８７】
ステップ５３０において、基地局は、ステップ５２０において選択されたサブセットのサブキャリア間隔に基づいて同期信号を伝送する。
【００８８】
ステップ５４０において、基地局はまた、同期信号の伝送に使用されるサブキャリア間隔に基づいてシステム情報を伝送し得る。システム情報は、基地局によってサポートされる１つまたは複数のサブキャリア間隔を示し得る。これらのサブキャリア間隔はまた、同期信号の伝送のために利用されない１つまたは複数のサブキャリア間隔を含み得る。
【００８９】
ステップ５５０において、基地局は、さらなる基地局によってサポートされる１つまたは複数のサブキャリア間隔を示す情報を受信し得る。ステップ５６０によって例証されるように、受信した情報に基づいて、例えば、基地局は、基地局とさらなる基地局との間のワイヤレス通信デバイスのハンドオーバを制御し得る。例えば、ワイヤレス通信デバイスが特定のサブキャリア間隔のみをサポートする場合、さらなる基地局は、これらのサブキャリア間隔のうちの少なくとも１つがサポートされるように選択され得る。言い換えると、ハンドオーバは、ワイヤレス通信デバイスおよびハンドオーバの目標基地局が少なくとも１つの一致するサポートされるサブキャリア間隔を有するように制御され得る。さらなる基地局から受信される情報はまた、隣接した基地局間での適用されるサブキャリア間隔の選択を連携するために使用され得る。
【００９０】
図４および図５の方法はまた、例えば、図４の方法に従って動作する少なくとも１つのワイヤレス通信デバイス、および図５の方法に従って動作する少なくとも１つの基地局を含むシステム内で、組み合わされ得るということを理解されたい。
【００９１】
さらに、図４および図５の方法ステップは、必ずしも、例証される順序で実施される必要はないこと、および、例証されるステップの異なる順序が可能であること、または例証されるステップのいくつかが並行して実施され得ることに留意されたい。さらに、異なるステップの個々のアクションまたは動作は、インタリーブ様式で実施され得る。
【００９２】
図６は、上記概念を実施するために利用され得るワイヤレス通信デバイスのプロセッサベースの実装を概略的に例証するためのブロック図を示す。ワイヤレス通信デバイスは、例えば、上述のＵＥ１００などのＵＥに対応し得る。
【００９３】
例証されるように、ワイヤレス通信デバイスは、無線インターフェース１１０を含む。ワイヤレス通信デバイスは、例えば、基地局２００のうちの１つなどのワイヤレス通信ネットワークの基地局を通じてワイヤレス通信ネットワークに接続するための無線インターフェース１１０を利用し得る。
【００９４】
さらに、ワイヤレス通信デバイスは、１つまたは複数のプロセッサ１４０およびメモリ１５０を備える。無線インターフェース１１０およびメモリ１５０は、例えば、ワイヤレス通信デバイスの１つまたは複数の内部バスシステムを使用して、プロセッサ１４０に連結される。
【００９５】
メモリ１５０は、プロセッサ１４０によって実行されるべきプログラムコードを有するプログラムコードモジュール１６０、１７０を含む。例証される例において、これらのプログラムコードモジュールは、通信制御モジュール１６０および同期管理モジュール１７０を含む。
【００９６】
通信制御モジュール１６０は、ワイヤレス通信デバイスとワイヤレス通信ネットワークとの間のワイヤレス伝送を制御する機能を実施し得る。同期管理モジュール１７０は、例えば、図４の方法に従って、同期信号の検出のためにサブキャリア間隔を選択するという上に説明した機能を実施し得る。
【００９７】
図６に例証されるような構造は単に例示であること、およびワイヤレス通信デバイスは、例証されていない他の要素、例えば、ＵＥまたは他のタイプのワイヤレス通信デバイスの知られている機能を実施するための構造またはプログラムコードモジュールも含み得ることを理解されたい。
【００９８】
図７は、上記概念を実施するために利用され得る基地局のプロセッサベースの実装を概略的に例証するためのブロック図を示す。基地局は、例えば、上述の基地局２００のうちの１つに対応し得る。
【００９９】
例証されるように、基地局は、無線インターフェース２１０を含む。基地局は、少なくとも１つのワイヤレス通信デバイス、例えば、ＵＥ１００などのＵＥに接続するための無線インターフェース２１０を利用し得る。さらに、基地局は、ネットワークインターフェース２２０を含み得る。基地局は、ワイヤレス通信ネットワークの他のノード、特に他の基地局に接続するためのネットワークインターフェース２２０を利用し得る。
【０１００】
さらに、基地局は、１つまたは複数のプロセッサ２４０およびメモリ２５０を備える。無線インターフェース２１０、ネットワークインターフェース２２０、およびメモリ２５０は、例えば、基地局の１つまたは複数の内部バスシステムを使用して、プロセッサ２４０に連結される。
【０１０１】
メモリ２５０は、プロセッサ２４０によって実行されるべきプログラムコードを有するプログラムコードモジュール２６０、２７０を含む。例証される例において、これらのプログラムコードモジュールは、通信制御モジュール２６０および同期管理モジュール２７０を含む。
【０１０２】
通信制御モジュール２６０は、ワイヤレス通信デバイスとワイヤレス通信ネットワークとの間のワイヤレス伝送を制御する機能を実施し得る。同期管理モジュール２７０は、例えば、図５の方法に従って、同期信号の伝送のためにサブキャリア間隔を選択するという上に説明した機能を実施し得る。
【０１０３】
図７に例証されるような構造は単に例示であること、および基地局は、例証されていない他の要素、例えば、基地局の知られている機能を実施するための構造またはプログラムコードモジュールも含み得ることを理解されたい。
【０１０４】
上に説明される概念は、様々な修正を受け入れる余地があることを理解されたい。例えば、本概念は、様々な種類のワイヤレス通信技術およびデバイスと関連して適用され得る。さらに、本概念は、様々なタイプの同期信号および変調スキームと関連して適用され得る。
【図１】
2019534623.tif 000003
【図２】
2019534623.tif 000004
【図３】
2019534623.tif 000005
【図４】
2019534623.tif 000006
【図５】
2019534623.tif 000007
【図６】
2019534623.tif 000008
【図７】
2019534623.tif 000009
【国際調査報告】
2019534623.tif 000010
2019534623.tif 000011
2019534623.tif 000012
2019534623.tif 000013